(57)【要約】【課題】バッグ本体を構成する厚み方向の一方面側を硬質体で、他方面側を合成樹脂製生地より成る軟質体で、それぞれ構成したバッグにおいて、バッグ本体の開閉位置をマチ部とすることができるバッグを提供すること。【解決手段】バッグ本体ＢＨを構成する厚み方向の一方面側を硬質体１で、他方面側を可撓性を有する材料より成る軟質体２で、それぞれ構成すると共に、前記硬質体１のマチ部の外面に、可撓性を有する材料より成る軟質帯状体３を巻回して止め具４で止着し、硬質体１に対して軟質体２が回動できるように軟質体２と軟質帯状体３の対向する端縁相互間に可撓性を有する材料より成る接続体５を掛け渡してそれぞれに縫着し、前記軟質体２と軟質帯状体３との対向する端縁相互間における接続体５が存在しない域をファスナー６で開閉自在としてある。【選択図】　図３
2004105626.tif 000002
【特許請求の範囲】
【請求項１】
バッグ本体ＢＨを構成する厚み方向の一方面側を硬質体１で、他方面側を可撓性を有する材料より成る軟質体２で、それぞれ構成すると共に、前記硬質体１のマチ部の外面に、可撓性を有する材料より成る軟質帯状体３を巻回して止め具４で止着し、硬質体１に対して軟質体２が回動できるように軟質体２と軟質帯状体３の対向する端縁相互間に可撓性を有する材料より成る接続体５を掛け渡してそれぞれに縫着し、前記軟質体２と軟質帯状体３との対向する端縁相互間における接続体５が存在しない域をファスナー６で開閉自在としてあることを特徴とするバッグ。
【請求項２】
硬質体１は、硬質部本体１ａと、この硬質部本体１ａのマチ部構成端から突出させる態様で当該硬質部本体１ａの内周面に止め具で止着された硬質枠板１ｂとから成り、前記硬質枠板１ｂをハニカム構造物としてあることを特徴とする請求項１記載のバッグ。
【請求項３】
軟質帯状体３は、その一縁を硬質体１のマチ部構成端に沿わせるようにして配置されていることを特徴とする請求項１又は２記載のバッグ。
【請求項４】
硬質体１のマチ部への軟質帯状体３の巻回範囲は、全周であることを特徴とする請求項１乃至３のいずれかに記載のバッグ。
【請求項５】
硬質体１は、剛性の高い合成樹脂により構成されていることを特徴とする請求項１乃至４のいずれかに記載のバッグ。
【請求項６】
軟質体２、軟質帯状体３、接続体５は、合成樹脂性生地により構成されていることを特徴とする請求項１乃至５のいずれかに記載のバッグ。
【請求項７】
軟質体２のマチ部は弛んだ状態となっており、収容空間を拡げることが可能であるを特徴とする請求項１乃至６のいずれかに記載のバッグ。
【発明の詳細な説明】
【０００１】
【発明の属する技術分野】
この発明は、バッグ本体を構成する厚み方向の一方面側を硬質体（ハード部）で、他方面側を合成樹脂製生地より成る軟質体（ソフト部）で、それぞれ構成したバッグに関するものである。
【０００２】
【従来の技術】
この種のバッグとしては、例えば図７に示すような構成のものがある。
【０００３】
このバッグは、図７に示すように、剛性の周囲方向主フレーム９０と、剛性の周囲方向副フレーム９１とを有し、可撓性材料の周囲方向連続ガセット９２が、二つの周囲方向フレーム相互間に連結されている。周囲方向主フレーム９０の互いに反対側の壁パネル９３，９４が、ブリッジ組立体９５により周囲方向副フレームの互いに反対側の壁パネル９６，９７に結合されている。各ブリッジ組立体９５は、周囲方向主フレーム９０に取り付けられた一対の互いに平行な滑りレール９８と、周囲方向副フレーム９１に取り付けられていて、移動自在に受け入れられた剛性のブリッジプレート９９を周囲方向副フレームが周囲方向主フレームから間隔を置いた位置で固定的に保持される少なくとも１つの位置で周囲方向主フレームの壁パネルに結合する解除自在なラッチ９９’を有している（特許文献１参照）。
【０００４】
【特許文献１】
特開２００１−１２８７１９号公報
【０００５】
【発明が解決しようとする課題】
しかしながら、上記バッグでは、ブリッジプレート９９の存在により、マチ部の位置での開閉ができないという問題がある。
【０００６】
そこで、この発明では、バッグ本体を構成する厚み方向の一方面側を硬質体で、他方面側を合成樹脂製生地より成る軟質体で、それぞれ構成したバッグにおいて、バッグ本体の開閉位置をマチ部とすることができるバッグを提供することを課題とする。
【０００７】
【課題を解決するための手段】
（請求項１記載の発明）
この発明のバッグは、バッグ本体ＢＨを構成する厚み方向の一方面側を硬質体１で、他方面側を可撓性を有する材料より成る軟質体２で、それぞれ構成すると共に、前記硬質体１のマチ部の外面に、可撓性を有する材料より成る軟質帯状体３を巻回して止め具４で止着し、硬質体１に対して軟質体２が回動できるように軟質体２と軟質帯状体３の対向する端縁相互間に可撓性を有する材料より成る接続体５を掛け渡してそれぞれに縫着し、前記軟質体２と軟質帯状体３との対向する端縁相互間における接続体５が存在しない域をファスナー６で開閉自在としてある。
（請求項２記載の発明）
この発明のバッグは、上記請求項１記載の発明に関し、硬質体１は、硬質部本体１ａと、この硬質部本体１ａのマチ部構成端から突出させる態様で当該硬質部本体１ａの内周面に止め具で止着された硬質枠板１ｂとから成り、前記硬質枠板１ｂをハニカム構造物としてある。
（請求項３記載の発明）
この発明のバッグは、上記請求項１又は２記載の発明に関し、軟質帯状体３は、その一縁を硬質体１のマチ部構成端に沿わせるようにして配置されている。
（請求項４記載の発明）
この発明のバッグは、上記請求項１乃至３のいずれかに記載の発明に関し、硬質体１のマチ部への軟質帯状体３の巻回範囲は、全周であるものとしている。
（請求項５記載の発明）
この発明のバッグは、上記請求項１乃至４のいずれかに記載の発明に関し、硬質体１は、剛性の高い合成樹脂により構成されている。
（請求項６記載の発明）
この発明のバッグは、上記請求項１乃至５のいずれかに記載の発明に関し、軟質体２、軟質帯状体３、接続体５は、合成樹脂性生地により構成されている。
（請求項７記載の発明）
この発明のバッグは、上記請求項１乃至６のいずれかに記載の発明に関し、軟質体２のマチ部は弛んだ状態となっており、収容空間を拡げることが可能である。
【０００８】
この発明のバッグにおける作用・効果については、発明の実施の形態の欄で明らかにする。
【０００９】
【発明の実施の形態】
この発明の実施形態のバッグを図面に従って説明する。
〔実施形態１〕
図１はこの発明の実施形態のバッグの斜視図、図２は前記バッグの右側面図、図３は前記バッグの断面図を示している。
（バッグＢの構成について）
この実施形態のバッグＢは、図１に示すように、バッグ本体ＢＨと、ハンドル１０と、把手１１，１２と、キャスター１３と、上・下ベルト１４，１５と、中ベルト２４，２４とから構成されている。
（バッグ本体ＢＨの構成について）
バッグ本体ＢＨは、図１〜図３に示すように、これの厚み方向の一方面側を硬質体１で、他方面側を合成樹脂製生地より成る軟質体２で、それぞれ構成すると共に、前記硬質体１のマチ部の外面に、合成樹脂製生地より成る軟質帯状体３を巻回して止め具４で止着してあり、また、硬質体１に対して軟質体２が回動できるように図５に示すように、軟質体２と軟質帯状体３の対向する端縁相互間に合成樹脂製生地より成る接続体５を掛け渡してそれぞれに縫着すると共に、前記軟質体２と軟質帯状体３との対向する端縁相互間における接続体５が存在しない域をファスナー６で開閉自在としてある。
【００１０】
硬質体１はＡＢＳ樹脂等により構成されており、図３に示すように、硬質部本体１ａと、この硬質部本体１ａのマチ部構成端１００から突出させる態様で当該硬質部本体１ａの内周面に止め具で止着された硬質枠板１ｂとから成る。なお、前記硬質枠板１ｂは図３に示すように、ハニカム構造物としてある。
【００１１】
軟質体２は可撓性を有するナイロン製生地により構成されており、図３に示すようにファスナー２０を閉じて弛み部２ａが形成される状態にすれば図４に示すように軟質体２内の収容空間が小さくなり、この状態からファスナー２０を開いて弛み部２ａを張った状態にすれば図１、図２に示すように軟質体２内の収容空間が大きくなるようにしてある。
【００１２】
ここで、この軟質体２の前面部には、図１や図２に示すように、上・中・下ポケット２１，２２，２３を設けてあり、軟質体２内の収容空間が小さい状態でもある程度の量の物が収容できるようにしてある。
【００１３】
軟質帯状体３は、上記した軟質体２と同様に可撓性を有するナイロン製生地により構成されている。
【００１４】
止め具４は、リベット状のものでもよく、また、ホッチキス（登録商標）の針のようなものでもよい。要するに、接着剤のようなものではなく物理的な力（機械的な力）で硬質体１と軟質帯状体３とを止着できようなものであればよい。
【００１５】
接続体５は、上記した軟質体２と同様に可撓性を有するナイロン製生地により構成されている。
【００１６】
ファスナー６は、特別なものではなく、一般的に市販されているものが採用されている。
（ハンドル１０について）
ハンドル１０は、図１や図２に示されているように、硬質部１の後部から設けられており、その上端に設けられた把持部のみが硬質部１から突出している。前記把持部には押しボタンが付されており、この押しボタンの操作により鞄本体ＢＨからのハンドル１０の突出量が自由に調整できるようになっている。
（把手１１，１２について）
図１把手１１は硬質部１の上面に、把手１２は硬質部１の側面に、それぞれ取り付けられており、これにより使用者は、鞄本体ＢＨを縦又は横の状態で持てるようにしてある。
（キャスター１３について）
キャスター１３は、図１に示されているように、硬質部１の後部底面に左右一対設けられており、ハンドル１０を引くことにより比較的荷が重い場合でも楽に運ぶことができる。
（このバッグＢの機能について）
このバッグＢでは、従来の技術の欄に記載したバッグの如きブリッジプレート９９は存在しないから、マチ部の位置での開閉ができないというような問題は発生しない。つまり、バッグ本体ＢＨを構成する厚み方向の一方面側を硬質体１で、他方面側を合成樹脂製生地より成る軟質体２で、それぞれ構成したバッグであっても、バッグ本体ＢＨの開閉位置をマチ部とすることができる。
〔他の実施形態〕
上記実施形態１では硬質体１は、硬質部本体１ａと、この硬質部本体１ａのマチ部構成端から突出させる態様で当該硬質部本体１ａの内周面に止め具で止着された硬質枠板１ｂとから成るものとしているが、これに限定されることなく、硬質体１は図６に示すような形態を採ることができる。
【００１７】
また、上記実施形態１では、軟質体２、軟質帯状体３、接続体５は合成樹脂性生地により構成されているが、これに限定されることなく、皮革、天然素材による生地等により構成してもよい。
【００１８】
【発明の効果】
この発明は上記のような構成であるから次の効果を有する。
【００１９】
発明の実施の形態の欄に記載した内容から、バッグ本体を構成する厚み方向の一方面側を硬質体で、他方面側を合成樹脂製生地より成る軟質体で、それぞれ構成したバッグであっても、バッグ本体の開閉位置をマチ部とすることができるバッグを提供できた。
【図面の簡単な説明】
【図１】この発明の実施形態１のバッグの斜視図。
【図２】前記バッグの左側面図（軟質体の収容空間が大きい場合）。
【図３】前記バッグの硬質体と軟質体とをファスナーで止める構成を示す断面図。
【図４】前記バッグの左側面図（軟質体の収容空間が小さい場合）。
【図５】前記バッグの右側面図であり、接続体を示す図。
【図６】前記バッグの硬質体と軟質体とをファスナーで止める、他の実施形態の構成を示す断面図。
【図７】先行技術の説明図。
【符号の説明】
Ｂ　　　バッグ
ＢＨ　　バッグ本体
１　　　硬質体
１ａ　　硬質部本体
１ｂ　　硬質枠板
２　　　軟質体
３　　　軟質帯状体
４　　　止め具
５　　　接続体
６　　　ファスナー
【図１】
2004105626.tif 000003
【図２】
2004105626.tif 000004
【図３】
2004105626.tif 000005
【図４】
2004105626.tif 000006
【図５】
2004105626.tif 000007
【図６】
2004105626.tif 000008
【図７】
2004105626.tif 000009